(57)【要約】【課題】分散板でのデポジットの生成を抑えることのできる内燃機関の排気浄化装置を提供する。【解決手段】エンジン１は、尿素水の添加により排気を浄化するＳＣＲ触媒４１と、尿素水を排気通路２６内に添加する尿素水供給機構２００と、ＳＣＲ触媒４１よりも排気上流で尿素水を分散させる分散板６０と、尿素水供給機構２００による尿素水添加を制御する制御装置８０とを備えている。制御装置８０は、分散板６０の温度が所定温度よりも低い状態のときには、尿素水の添加を禁止する。【選択図】図１
2015028312.tif 000002
【特許請求の範囲】
【請求項１】
還元剤の添加により排気を浄化する触媒と、
還元剤を排気通路内に添加する還元剤供給機構と、
排気通路内に設けられて前記触媒よりも上流で還元剤を分散させる分散板と、
前記還元剤供給機構による還元剤添加を制御する制御部と、を備える内燃機関の排気浄化装置において、
前記制御部は、前記分散板の温度が所定温度よりも低い状態のときには、還元剤の添加を禁止する
ことを特徴とする内燃機関の排気浄化装置。
【請求項２】
前記制御部は、前記分散板の温度が前記所定温度よりも低い状態であっても、還元剤の添加要求があるときには、所定期間の間だけ還元剤の添加禁止を中止して還元剤添加を行い、前記所定期間を、前記分散板の温度が前記所定温度以上であるときの添加期間よりも短くする
請求項１に記載の内燃機関の排気浄化装置。
【請求項３】
前記制御部は、前記分散板の温度が低いほど前記所定期間を短くする
請求項２に記載の内燃機関の排気浄化装置。
【請求項４】
当該排気浄化装置は、車両に搭載される装置であり、
前記制御部は、排気温度及び外気温度及び排気流量及び車速の少なくとも１つに基づいて前記所定期間を可変設定する
請求項３に記載の内燃機関の排気浄化装置。
【請求項５】
前記制御部は、前記分散板の温度が前記所定温度よりも低い状態であっても、還元剤の添加要求があるときには、所定期間の間だけ還元剤の添加禁止を中止して還元剤添加を行い、その還元剤添加を行うときの添加量を、前記分散板の温度が前記所定温度以上であるときの添加量よりも減量する
請求項１に記載の内燃機関の排気浄化装置。
【請求項６】
前記制御部は、前記分散板の温度が低いほど前記添加量を少なくする
請求項５に記載の内燃機関の排気浄化装置。
【請求項７】
当該排気浄化装置は、車両に搭載される装置であり、
前記制御部は、排気温度及び外気温度及び排気流量及び車速の少なくとも１つに基づいて前記添加量を可変設定する
請求項６に記載の内燃機関の排気浄化装置。
【請求項８】
当該排気浄化装置は、車両に搭載される装置であり、
前記制御部は、前記分散板の温度が前記所定温度よりも低い状態であるか否かを、排気温度及び外気温度及び排気流量及び車速の少なくとも１つに基づいて判定する
請求項１〜７のいずれか１項に記載の内燃機関の排気浄化装置。
【発明の詳細な説明】
【技術分野】
【０００１】
本発明は、内燃機関の排気浄化装置に関するものである。
【背景技術】
【０００２】
例えば特許文献１に記載されているように、排気中の窒素酸化物（ＮＯｘ）を浄化する触媒の一つである選択還元型ＮＯｘ触媒と、この選択還元型ＮＯｘ触媒でのＮＯｘ浄化に利用する還元剤を排気通路内に添加する還元剤供給機構と、排気通路内に設けられて還元剤を分散させる分散板とを備える内燃機関の排気浄化装置が知られている。
【０００３】
この排気浄化装置では、還元剤供給機構から排気通路内に尿素水が噴射される。噴射された尿素水は、分散板によって霧化が促進され、排気熱による加水分解によってアンモニアとなる。そしてこのアンモニアが還元剤として触媒に供給される。
【０００４】
なお、上記特許文献１に記載の排気浄化装置では、分散板に付着した還元剤の気化を促すために、分散板に付着した還元剤を排気通路の中心付近に集めるようにしている。このようにして排気通路の中心付近に集められた還元剤は、排気通路の壁面付近よりも温度が高い中心付近の排気によって気化される。
【先行技術文献】
【特許文献】
【０００５】
【特許文献１】特開２００９−１３８５９２号公報
【発明の概要】
【発明が解決しようとする課題】
【０００６】
ところで、排気通路内への還元剤添加は、触媒の温度が活性化温度以上になっている場合に行われる。ここで、例えば外気温度などが低い場合には、排気通路からの放熱量が多くなるため、排気通路に設けられた分散板の温度は低くなりやすい。従って、触媒の温度が活性化温度以上であっても、分散板の温度は比較的低い状態になっていることがあり、この場合には、排気通路内に添加された還元剤が分散板に付着したままになり、その後デポジット化するおそれがある。
【０００７】
この発明は、こうした実情に鑑みてなされたものであり、その目的は、分散板でのデポジットの生成を抑えることのできる内燃機関の排気浄化装置を提供することにある。
【課題を解決するための手段】
【０００８】
上記課題を解決する内燃機関の排気浄化装置は、還元剤の添加により排気を浄化する触媒と、還元剤を排気通路内に添加する還元剤供給機構と、排気通路内に設けられて触媒よりも上流で還元剤を分散させる分散板と、還元剤供給機構による還元剤の添加を制御する制御部と、を備えている。そして、制御部は、分散板の温度が所定温度よりも低い状態のときには、還元剤の添加を禁止する。
【０００９】
同構成によれば、分散板の温度が所定温度よりも低い状態になっており、分散板に還元剤が付着したままの状態になりやすいときには、還元剤の添加が禁止される。従って、分散板での還元剤の付着が抑えられるようになり、そうした還元剤の付着に起因したデポジットの生成を抑えることができる。なお、同構成の上記所定温度は、分散板での還元剤の付着を抑えることができる温度、例えば還元剤の沸点等を設定することが望ましい。
【００１０】
上記排気浄化装置において、制御部は、分散板の温度が所定温度よりも低い状態であっても、還元剤の添加要求があるときには、所定期間の間だけ還元剤の添加禁止を中止して還元剤添加を行う。そして制御部は、その所定期間を、分散板の温度が所定温度以上であるときの添加期間よりも短くすることが好ましい。
【００１１】
同構成によれば、分散板の温度が所定温度よりも低い状態になっていても、還元剤の添加要求がある場合には、その要求を優先するために所定期間の間だけは還元剤が添加される。ここで、同構成では、分散板の温度が所定温度よりも低いときに還元剤を添加するときの添加期間になる上記所定期間は、分散板の温度が所定温度以上になっているときの添加期間に比べて短くされる。このようにして還元剤の添加期間が短くされることにより、分散板に付着する還元剤の量が少なくなる。従って、分散板の温度が低くなっている状態で還元剤の添加要求があるときには、分散板への還元剤付着を抑えつつ、還元剤を添加することができる。そのため、例えば分散板が低温状態であっても、還元剤添加による排気浄化を維持することができる。
【００１２】
上記排気浄化装置において、制御部は、分散板の温度が低いほど、上述の所定期間を短くすることが好ましい。
同構成によれば、分散板の温度が低く還元剤が付着しやすいときほど、還元剤の添加期間は短くされるため、分散板に付着する還元剤の量は少なくなる。従って、分散板に付着する還元剤の量を分散板の温度に応じて適切に抑えることができる。
【００１３】
上記排気浄化装置において、当該排気浄化装置は、車両に搭載される装置であり、制御部は、排気温度及び外気温度及び排気流量及び車速の少なくとも１つに基づいて上述の所定期間を可変設定することが好ましい。
【００１４】
同構成によれば、分散板の低温時における還元剤の添加期間が、分散板の温度に関与する排気温度及び外気温度及び排気流量及び車速の少なくとも１つに基づいて可変設定される。従って、分散板の温度を直接検出することなく、分散板の温度が低いときほど還元剤の添加期間を短くすることができるようになる。
【００１５】
また、上記排気浄化装置において、制御部は、分散板の温度が所定温度よりも低い状態であっても、還元剤の添加要求があるときには、所定期間の間だけ還元剤の添加禁止を中止して還元剤添加を行う。そして、制御部は、その還元剤添加を行うときの添加量を、分散板の温度が所定温度以上であるときの還添加量よりも減量することが好ましい。
【００１６】
同構成によれば、分散板の温度が所定温度よりも低い状態になっていても、還元剤の添加要求がある場合には、その要求を優先するために所定期間の間だけは還元剤が添加される。ここで、同構成では、分散板の温度が所定温度よりも低いときに還元剤を添加するときの添加量は、分散板の温度が所定温度以上になっているときに比べて減量される。このようにして還元剤の添加量が減量されることにより、分散板に付着する還元剤の量が少なくなる。従って、分散板の温度が低くなっている状態で還元剤の添加要求があるときには、分散板への還元剤付着を抑えつつ、還元剤を添加することができる。そのため、例えば分散板が低温状態であっても、還元剤添加による排気浄化を維持することができる。
【００１７】
上記排気浄化装置において、制御部は、分散板の温度が低いほど添加量を少なくすることが好ましい。
同構成によれば、分散板の温度が低く還元剤が付着しやすいときほど、還元剤の添加量は少なくされるため、分散板に付着する還元剤の量は少なくなる。従って、分散板に付着する還元剤の量を分散板の温度に応じて適切に抑えることができる。
【００１８】
上記排気浄化装置において、当該排気浄化装置は、車両に搭載される装置であり、制御部は、排気温度及び外気温度及び排気流量及び車速の少なくとも１つに基づいて添加量を可変設定することが好ましい。
【００１９】
同構成によれば、分散板の温度に関与する排気温度及び外気温度及び排気流量及び車速の少なくとも１つに基づいて還元剤の添加量が可変設定される。従って、分散板の温度を直接検出することなく、分散板の温度が低いときほど還元剤の添加量を少なくすることができるようになる。
【００２０】
また、上記排気浄化装置において、当該排気浄化装置は、車両に搭載される装置であり、制御部は、分散板の温度が所定温度よりも低い状態であるか否かを、排気温度及び外気温度及び排気流量及び車速の少なくとも１つに基づいて判定することが好ましい。
【００２１】
同構成によれば、排気温度、外気温度、排気流量、車速といった分散板の温度に関与するパラメータに基づき、分散板の温度が所定温度よりも低い状態であるか否かの判定が行われる。従って、分散板の温度を直接検出することなく、分散板の温度が所定温度よりも低い状態であるか否かを判定することができるようになる。
【図面の簡単な説明】
【００２２】
【図１】内燃機関の排気浄化装置の第１実施形態について、これが適用される内燃機関及びその周辺構成を示す概略図。
【図２】同実施形態において尿素水を添加するときの一連の処理手順を示すフローチャート。
【図３】同実施形態での車速及び車速係数の関係を示す表。
【図４】同実施形態での外気温度及び外気温度係数の関係を示す表。
【図５】同実施形態での排気流量及び排気流量係数の関係を示す表。
【図６】第２実施形態において尿素水を添加するときの一連の処理手順を示すフローチャート。
【図７】同実施形態での添加処理の手順を示すフローチャート。
【図８】同実施形態での分散板温度及び時間係数の関係を示す表。
【図９】第３実施形態での添加処理の手順を示すフローチャート。
【図１０】同実施形態での分散板温度及び添加量係数の関係を示す表。
【発明を実施するための形態】
【００２３】
（第１実施形態）
以下、内燃機関の排気浄化装置を具体化した第１実施形態について、図１〜図５を参照して説明する。
【００２４】
図１に、排気浄化装置が適用された内燃機関であるディーゼルエンジン（以下、単に「エンジン」という）や、このエンジン１に設けられた排気浄化装置の構成を示す。
エンジン１には複数の気筒＃１〜＃４が設けられている。シリンダヘッド２には複数の燃料噴射弁４ａ〜４ｄが各気筒＃１〜＃４に対応して取り付けられている。これら燃料噴射弁４ａ〜４ｄは各気筒＃１〜＃４の燃焼室に燃料を噴射する。また、シリンダヘッド２には新気を気筒内に導入するための吸気ポートと、燃焼ガスを気筒外へ排出するための排気ポート６ａ〜６ｄとが各気筒＃１〜＃４に対応して設けられている。
【００２５】
燃料噴射弁４ａ〜４ｄは、高圧燃料を蓄圧するコモンレール９に接続されている。コモンレール９はサプライポンプ１０に接続されている。サプライポンプ１０は燃料タンク内の燃料を吸入するとともにコモンレール９に高圧燃料を供給する。コモンレール９に供給された高圧燃料は、各燃料噴射弁４ａ〜４ｄの開弁時に同燃料噴射弁４ａ〜４ｄから気筒内に噴射される。
【００２６】
吸気ポートにはインテークマニホールド７が接続されている。インテークマニホールド７は吸気通路３に接続されている。この吸気通路３内には吸入空気量を調整するための吸気絞り弁１６が設けられている。
【００２７】
排気ポート６ａ〜６ｄにはエキゾーストマニホールド８が接続されている。エキゾーストマニホールド８は排気通路２６に接続されている。
排気通路２６の途中には、気筒に導入される吸入空気を排気圧を利用して過給するターボチャージャ１１が設けられている。同ターボチャージャ１１の吸気側コンプレッサと吸気絞り弁１６との間の吸気通路３にはインタークーラ１８が設けられている。このインタークーラ１８によって、ターボチャージャ１１の過給により温度上昇した吸入空気の冷却が図られる。
【００２８】
また、排気通路２６の途中にあって、ターボチャージャ１１の排気側タービンの排気下流には、排気を浄化する第１浄化部材３０が設けられている。この第１浄化部材３０の内部には、排気の流れ方向に対して直列に酸化触媒３１及びフィルタ３２が配設されている。
【００２９】
酸化触媒３１には、排気中のＨＣを酸化処理する触媒が担持されている。また、フィルタ３２は、排気中のＰＭ（粒子状物質）を捕集する部材であって、多孔質のセラミックで構成されている。このフィルタ３２には、ＰＭの酸化を促進させるための触媒が担持されており、排気中のＰＭは、フィルタ３２の多孔質の壁を通過する際に捕集される。
【００３０】
また、エキゾーストマニホールド８の集合部近傍には、酸化触媒３１やフィルタ３２に添加剤として燃料を供給するための燃料添加弁５が設けられている。この燃料添加弁５は、燃料供給管２７を介して前記サプライポンプ１０に接続されている。なお、燃料添加弁５の配設位置は、排気系にあって第１浄化部材３０の上流側であれば適宜変更するも可能である。また、燃料の噴射時期を調整してポスト噴射を行うことにより、酸化触媒３１やフィルタ３２に添加剤として燃料を供給してもよい。
【００３１】
フィルタ３２に捕集されたＰＭの量が所定値を超えると、フィルタ３２の再生処理が開始されて燃料添加弁５からはエキゾーストマニホールド８内に向けて燃料が噴射される。この燃料添加弁５から噴射された燃料は、酸化触媒３１に達すると燃焼され、これにより排気温度の上昇が図られる。そして、酸化触媒３１にて昇温された排気がフィルタ３２に流入することにより、同フィルタ３２は昇温され、これによりフィルタ３２に堆積したＰＭが酸化処理されてフィルタ３２の再生が図られる。
【００３２】
また、排気通路２６の途中にあって、第１浄化部材３０の排気下流には、排気を浄化する第２浄化部材４０が設けられている。第２浄化部材４０の内部には、還元剤を利用して排気中のＮＯｘを還元浄化する選択還元型ＮＯｘ触媒（以下、ＳＣＲ触媒という）４１が配設されている。このＳＣＲ触媒４１の担体はゼオライトで構成されており、その担体上に触媒のコーティング層が形成されている。
【００３３】
さらに、排気通路２６の途中にあって、第２浄化部材４０の排気下流には、排気を浄化する第３浄化部材５０が設けられている。第３浄化部材５０の内部には、排気中のアンモニアを浄化するアンモニア酸化触媒５１が配設されている。
【００３４】
エンジン１には、上記ＳＣＲ触媒４１に還元剤を添加する還元剤供給機構としての尿素水供給機構２００が設けられている。尿素水供給機構２００は、尿素水を貯留するタンク２１０、排気通路２６内に尿素水を噴射供給する尿素添加弁２３０、尿素添加弁２３０とタンク２１０とを接続する供給通路２４０、供給通路２４０の途中に設けられたポンプ２２０にて構成されている。
【００３５】
尿素添加弁２３０は、第１浄化部材３０と第２浄化部材４０との間の排気通路２６に設けられており、その噴射孔はＳＣＲ触媒４１に向かって開口されている。この尿素添加弁２３０が開弁されると、供給通路２４０を介して排気通路２６内に尿素水が噴射供給される。なお、尿素添加弁２３０は、上記還元剤噴射弁を構成している。
【００３６】
ポンプ２２０は電動式のポンプであり、正回転時には、タンク２１０から尿素添加弁２３０に向けて尿素水を送液する。一方、逆回転時には、尿素添加弁２３０からタンク２１０に向けて尿素水を送液する。つまり、ポンプ２２０の逆回転時には、尿素添加弁２３０及び供給通路２４０から尿素水が回収されてタンク２１０に戻される。
【００３７】
また、尿素添加弁２３０とＳＣＲ触媒４１との間の排気通路２６内には、尿素添加弁２３０から噴射された尿素水を分散させることにより同尿素水の霧化を促進する分散板６０が設けられている。
【００３８】
尿素添加弁２３０から噴射された尿素水は、排気の熱によって加水分解されてアンモニアとなる。このアンモニアがＮＯｘの還元剤としてＳＣＲ触媒４１に供給される。ＳＣＲ触媒４１に供給されたアンモニアは、同ＳＣＲ触媒４１に吸蔵されてＮＯｘの還元に利用される。
【００３９】
この他、エンジン１には排気再循環装置（以下、ＥＧＲ装置という）が備えられている。このＥＧＲ装置は、排気の一部を吸入空気に導入することで気筒内の燃焼温度を低下させ、ＮＯｘの発生量を低減させる装置である。ＥＧＲ装置は、吸気通路３とエキゾーストマニホールド８とを連通するＥＧＲ通路１３、同ＥＧＲ通路１３に設けられたＥＧＲ弁１５、及びＥＧＲクーラ１４等により構成されている。ＥＧＲ弁１５の開度が調整されることにより排気通路２６から吸気通路３に導入される排気還流量、いわゆる外部ＥＧＲ量が調量される。また、ＥＧＲクーラ１４によってＥＧＲ通路１３内を流れる排気の温度が低下される。
【００４０】
エンジン１には、機関運転状態を検出するための各種センサが取り付けられている。例えば、エアフロメータ１９は吸入空気量ＧＡを検出する。絞り弁開度センサ２０は吸気絞り弁１６の開度を検出する。機関回転速度センサ２１はクランクシャフトの回転速度、すなわち機関回転速度ＮＥを検出する。アクセルセンサ２２はアクセルペダルの踏み込み量、すなわちアクセル操作量ＡＣＣＰを検出する。外気温センサ２３は、外気温度ＴＨｏｕｔを検出する。車速センサ２４はエンジン１が搭載された車両の車速ＳＰＤを検出する。また、エンジン１には、車両の運転者がエンジン１を始動させるときや停止させるときに操作するイグニッションスイッチ（以下、ＩＧスイッチという）２５も設けられており、このＩＧスイッチ２５の操作位置によって、機関始動や機関停止が行われる。
【００４１】
また、酸化触媒３１の上流に設けられた第１排気温度センサ１００は、酸化触媒３１に流入する前の排気温度である第１排気温度ＴＨ１を検出する。差圧センサ１１０は、フィルタ３２の上流及び下流の排気圧の圧力差ΔＰを検出する。
【００４２】
第１浄化部材３０と第２浄化部材４０との間の排気通路２６にあって、尿素添加弁２３０の上流には、第２排気温度センサ１２０及び第１ＮＯｘセンサ１３０が設けられている。第２排気温度センサ１２０は、ＳＣＲ触媒４１に流入する前の排気温度である第２排気温度ＴＨ２を検出する。第１ＮＯｘセンサ１３０は、ＳＣＲ触媒４１に流入する前の排気中のＮＯｘ濃度である第１ＮＯｘ濃度Ｎ１を検出する。
【００４３】
第３浄化部材５０よりも下流の排気通路２６には、ＳＣＲ触媒４１で浄化された排気のＮＯｘ濃度である第２ＮＯｘ濃度Ｎ２を検出する第２ＮＯｘセンサ１４０が設けられている。
【００４４】
これら各種センサ等の出力は、制御部を構成する制御装置８０に入力される。この制御装置８０は、中央処理制御装置（ＣＰＵ）、各種プログラムやマップ等を予め記憶した読出専用メモリ（ＲＯＭ）、ＣＰＵの演算結果等を一時記憶するランダムアクセスメモリ（ＲＡＭ）、タイマカウンタ、入力インターフェース、出力インターフェース等を備えたマイクロコンピュータを中心に構成されている。
【００４５】
そして、この制御装置８０により、例えば燃料噴射弁４ａ〜４ｄや燃料添加弁５の燃料噴射制御、サプライポンプ１０の吐出圧力制御、吸気絞り弁１６を開閉するアクチュエータ１７の駆動量制御、ＥＧＲ弁１５の開度制御等、エンジン１の各種制御が行われる。また、上記フィルタ３２に捕集されたＰＭを燃焼させる上記再生処理等といった各種の排気浄化制御も同制御装置８０によって行われる。
【００４６】
また、制御装置８０は、排気浄化制御の一つとして、上記尿素添加弁２３０による尿素水の添加制御を行う。
この添加制御では、エンジン１から排出されるＮＯｘを還元処理するために必要な尿素量が機関運転状態等に基づいて算出される。また、ＳＣＲ触媒４１のアンモニア吸着量を予め定められた量に維持するために必要な尿素量が算出される。なおアンモニア吸着量は、適宜の方法で推定される。例えば尿素添加量、排気温度、排気流量等といったアンモニア吸着量に相関するパラメータに基づいてアンモニア吸着量は推定される。
【００４７】
そして、ＮＯｘを還元処理するために必要な尿素量とアンモニア吸着量を維持するために必要な尿素量との和が尿素添加量ＱＥとして算出され、その尿素添加量ＱＥが尿素添加弁２３０から噴射されるように、尿素添加弁２３０の駆動状態が制御される。なお、本実施形態では、排気通路２６内に尿素水を噴射するときには、尿素添加弁２３０の開弁及び閉弁が周期的に繰り返し行われる。これにより尿素水は間欠的に噴射供給されて、排気通路２６内での霧化が促進される。ちなみに、尿素添加弁２３０の開弁状態を維持することにより、尿素水を間欠的ではなく、連続的に噴射供給するようにしてもよい。
【００４８】
こうした尿素水噴射は、ＳＣＲ触媒４１の温度が活性化温度以上になっているときに行われる。ここで、例えば外気温度などが低い場合には、排気通路２６からの放熱量が多くなるため、排気通路２６に設けられた分散板６０の温度は低くなりやすい。従って、ＳＣＲ触媒４１の温度が活性化温度以上であっても、分散板６０の温度は比較的低い状態になっていることがあり、この場合には、排気通路２６内に添加された尿素水が分散板６０に付着したままになり、その後、分散板６０の表面上でデポジット化するおそれがある。
【００４９】
また、分散板６０の温度が比較的低い状態のときには、排気通路２６内に添加された尿素水の一部が分散板６０で拡散されることなく、液状のままＳＣＲ触媒４１に達するおそれがある。ここで、ゼオライト系の上記ＳＣＲ触媒４１に水分が付着すると、担体を構成するゼオライトが脆くなり、コーティング層が剥がれやすくなる。
【００５０】
そこで、本実施形態では、制御装置８０によって図２に示す処理を行うことにより、分散板６０でのデポジットの生成や、ＳＣＲ触媒４１でのコーティング層の剥がれを抑えるようにしている。
【００５１】
図２に示すように、本処理が開始されると、制御装置８０は、尿素水の添加要求があるか否かを判定する（Ｓ１００）。こうした尿素水の添加要求は、ＳＣＲ触媒４１のアンモニア吸着量が不足しているときや、ＮＯｘの排出量が急増したときなどに行われる。
【００５２】
そして、尿素水の添加要求がないときには（Ｓ１００：ＮＯ）、制御装置８０は、本処理を終了する。
一方、尿素水の添加要求があるときには（Ｓ１００：ＹＥＳ）、制御装置８０は、分散板６０近傍の排気温度を示す第２排気温度ＴＨ２と、車速ＳＰＤと、外気温度ＴＨｏｕｔと、排気流量ＧＥＸとに基づいて分散板６０の推定温度である分散板温度ＴＢを算出する（Ｓ１１０）。より詳細には、車速ＳＰＤ及び外気温度ＴＨｏｕｔ及び排気流量ＧＥＸにて第２排気温度ＴＨ２を補正した値を分散板６０の推定温度としており、分散板温度ＴＢは、次式（１）に基づいて算出される。
【００５３】
ＴＢ＝ＴＨ２×Ｋ１×Ｋ２×Ｋ３  …（１）
ＴＢ：分散板温度
ＴＨ２：第２排気温度
Ｋ１：車速係数（０＜Ｋ１≦１）
Ｋ２：外気温度係数（０＜Ｋ２≦１）
Ｋ３：排気流量係数（０＜Ｋ３≦１）
図３に、車速係数Ｋ１の設定態様を示す。車速係数Ｋ１は、「０」よりも大きく「１」以下の範囲内で可変設定される。そして、車速ＳＰＤが低いほど、車速係数Ｋ１の値は大きくされる。これは、車速ＳＰＤが低いほど、走行風による排気通路２６の冷却効果が低下して分散板６０の温度は高くなるためである。
【００５４】
図４に、外気温度係数Ｋ２の設定態様を示す。外気温度係数Ｋ２も、「０」よりも大きく「１」以下の範囲内で可変設定される。そして、外気温度ＴＨｏｕｔが低いほど、外気温度係数Ｋ２の値は小さくされる。これは、外気温度ＴＨｏｕｔが低いほど排気通路２６の温度は低くなり、分散板６０の温度も低くなるためである。
【００５５】
図５に、排気流量係数Ｋ３の設定態様を示す。排気流量係数Ｋ３も、「０」よりも大きく「１」以下の範囲内で可変設定される。そして、排気流量ＧＥＸが少ないほど、排気流量係数Ｋ３の値は小さくされる。これは、排気流量ＧＥＸが少ないほど、排気から分散板６０に移動する熱量が減少して、分散板６０の温度が低くなるためである。なお、排気流量ＧＥＸは、吸入空気量ＧＡ等に基づいて推定可能である。そのため、吸入空気量ＧＡ等に基づいて排気流量係数Ｋ３を設定してもよい。また、排気流量ＧＥＸは、機関回転速度ＮＥと各燃料噴射弁４ａ〜４ｄからの燃料噴射量Ｑとに基づいて推定することも可能である。そのため、機関回転速度ＮＥ及び燃料噴射量Ｑに基づいて排気流量係数Ｋ３を設定してもよい。
【００５６】
こうして分散板温度ＴＢが算出されると、制御装置８０は、分散板温度ＴＢが、所定温度である判定値Ａ以上であるか否かを判定する（Ｓ１２０）。この判定値Ａは、分散板６０での尿素水の付着を抑えることができる温度、例えば一例として尿素水の沸点が設定されているが、沸点近傍の温度を設定してもよい。
【００５７】
そして、分散板温度ＴＢが判定値Ａ以上であるときには（Ｓ１２０：ＹＥＳ）、制御装置８０は、尿素添加を許可して（Ｓ１３０）、尿素水を噴射供給する。そして、制御装置８０は、本処理を終了する。
【００５８】
一方、分散板温度ＴＢが判定値Ａ未満であるときには（Ｓ１２０：ＮＯ）、制御装置８０は、尿素水の添加要求があっても尿素添加を禁止する（Ｓ１４０）。そして、制御装置８０は、本処理を終了する。
【００５９】
次に、本実施形態の作用を説明する。
推定された分散板温度ＴＢが判定値Ａよりも低くなっており（Ｓ１２０：ＮＯ）、分散板６０の実際の温度が判定値Ａよりも低い状態になっていると判断できるときには、分散板６０に尿素水が付着したままの状態になりやすいため、尿素添加が禁止される（Ｓ１４０）。従って、分散板６０での尿素水の付着が抑えられるようになり、そうした尿素水の付着に起因したデポジットの生成が抑えられる。
【００６０】
また、分散板温度ＴＢが判定値Ａよりも低くなっており（Ｓ１２０：ＮＯ）、排気通路２６内に添加した尿素水の一部が液状のままＳＣＲ触媒４１に達するおそれがあるときには、尿素添加が禁止される（Ｓ１４０）。従って、ゼオライト系のＳＣＲ触媒４１に水分が付着することによるコーティング層の剥がれも抑えられる。
【００６１】
また、分散板６０の温度に関与する第２排気温度ＴＨ２及び外気温度ＴＨｏｕｔ及び排気流量ＧＥＸ及び車速ＳＰＤに基づき、分散板６０の推定温度である分散板温度ＴＢを算出している（Ｓ１１０）。そしてこの分散板温度ＴＢが判定値Ａよりも低いか否かを判定している（Ｓ１２０）。このように分散板６０の温度が判定値Ａよりも低い状態であるか否かを、第２排気温度ＴＨ２及び外気温度ＴＨｏｕｔ及び排気流量ＧＥＸ及び車速ＳＰＤに基づいて推定された値を使って判定するようにしている。従って、分散板６０の温度を直接検出することなく、分散板６０の温度が所定温度よりも低い状態であるか否かを判定することができる。
【００６２】
以上説明したように、本実施形態によれば、以下の効果を得ることができる。
（１）分散板６０の温度が判定値Ａよりも低い状態になっているときには、排気通路２６内への尿素水の添加を禁止している。従って、分散板６０において、尿素水の付着に起因したデポジットの生成が抑えられるようになる。また、ゼオライト系のＳＣＲ触媒４１に水分が付着することによるコーティング層の剥がれも抑えられるようになる。
【００６３】
（２）分散板６０の温度が判定値Ａよりも低い状態であるか否かを、第２排気温度ＴＨ２及び外気温度ＴＨｏｕｔ及び排気流量ＧＥＸ及び車速ＳＰＤに基づいて推定された値を使って判定している。従って、分散板６０の温度を直接検出することなく、分散板６０の温度が所定温度よりも低い状態であるか否かを判定することができるようになる。
（第２実施形態）
次に、内燃機関の排気浄化装置の第２実施形態について、図６〜図８を参照して説明する。
【００６４】
第１実施形態では、尿素水の添加要求があっても、分散板６０の温度が判定値Ａよりも低い状態のときには、尿素水の添加を禁止するようにした。しかし、尿素水の添加要求があるにもかかわらず、尿素水の添加を完全に禁止してしまうと、ＮＯｘの浄化率が低下してしまう。
【００６５】
そこで、本実施形態では、分散板６０の温度が判定値Ａよりも低い状態であっても、尿素水の添加要求があるときには、所定期間の間だけ尿素水の添加禁止を中止して尿素水の添加を行うようにしている。そして、その所定期間を、分散板６０の温度が判定値Ａ以上であるときの添加期間よりも短くしている。
【００６６】
本実施形態は、図２に示した一連の処理の一部を変更することにより実施される。より具体的には、図６に示すように、先の図２に示したステップＳ１２０で否定判定された場合、新たにステップＳ２００の処理を実行する。そして、ステップＳ２００の処理を実行した後に、ステップＳ１４０の処理を行って尿素添加を禁止するようにしており、これらの点が、第１実施形態とは異なっている。そこで以下では、第１実施形態との相異点を中心にして、本実施形態を説明する。
【００６７】
図６に、制御装置８０によって行われる一連の処理手順を示す。
本実施形態でも、尿素水の添加要求があるときには（Ｓ１００：ＹＥＳ）、制御装置８０は、分散板６０の温度に関与する第２排気温度ＴＨ２及び外気温度ＴＨｏｕｔ及び排気流量ＧＥＸ及び車速ＳＰＤに基づいて分散板温度ＴＢを算出する（Ｓ１１０）。
【００６８】
そして、分散板温度ＴＢが判定値Ａ未満であるときには（Ｓ１２０：ＮＯ）、制御装置８０は、第１実施形態と異なる処理、つまり尿素水を所定期間の間だけ添加する添加処理を実行する（Ｓ２００）。
【００６９】
図７に、ステップＳ２００で行われる添加処理の詳細な処理手順を示す。
この添加処理が開始されると、制御装置８０は、分散板温度ＴＢに基づいて低温時添加時間ＴＬを設定する（Ｓ３００）。この低温時添加時間ＴＬは、尿素水の添加禁止を中止して尿素水の添加を行う上記所定期間に相当する値であり、次式(２)に基づいて算出される。
【００７０】
低温時添加時間ＴＬ＝添加時間Ｔ×時間係数Ｋ４  …（２）
添加時間Ｔは、分散板６０の温度が判定値Ａ以上であるときの尿素添加時間であり、通常の尿素添加が行われるときの基本的な添加時間である。
【００７１】
時間係数Ｋ４は、分散板温度ＴＢに応じて添加時間Ｔを補正するための係数である。
図８に、時間係数Ｋ４の設定態様を示す。時間係数Ｋ４は、「０」よりも大きく「１」以下の範囲内で可変設定される。そして、分散板温度ＴＢが低いほど、時間係数Ｋ４の値は小さくされる。これは、分散板温度ＴＢが低いときほど、尿素水の添加時間を短くすることにより、分散板６０に付着する尿素水の量を少なくするためである。
【００７２】
なお、低温時添加時間ＴＬは、上記式（２）による算出の他に、分散板温度ＴＢの一次元マップなどから直接求めるようにしてもよい。例えば、分散板温度ＴＢが低いほど低温時添加時間ＴＬは短くなるように、分散板温度ＴＢに基づいて低温時添加時間ＴＬを直接設定する。そして、可変設定される低温時添加時間ＴＬの最大値は、添加時間Ｔ以下に設定する。このようにしても上記式（２）から得られる低温時添加時間ＴＬと同様な時間を設定することができる。
【００７３】
こうして低温時添加時間ＴＬが設定されると、制御装置８０は、尿素添加を実行する（Ｓ３１０）。ちなみに、この尿素添加時に設定される尿素水の添加量は、上述した尿素添加量ＱＥである。
【００７４】
次に、制御装置８０は、ステップＳ３１０で尿素添加を開始してから低温時添加時間ＴＬが経過したか否かを判定する（Ｓ３２０）。そして、低温時添加時間ＴＬが経過していないときには（Ｓ３２０：ＮＯ）、低温時添加時間ＴＬが経過するまで、ステップＳ３１０及びステップＳ３２０の処理を繰り返すことにより、尿素添加を継続する。
【００７５】
一方、ステップＳ３１０で尿素添加を開始してから低温時添加時間ＴＬが経過したときには（Ｓ３２０：ＹＥＳ）、制御装置８０は、本処理を終了して、先の図６に示したステップＳ１４０の処理を行う。このステップＳ１４０の処理が行われると、尿素添加が禁止される。従って、図７のステップＳ３１０で開始された尿素添加は、低温時添加時間ＴＬが経過するまで実行されて、図６のステップＳ１４０による尿素添加の禁止によって終了される。
【００７６】
次に、本実施形態によって得られる特有の作用を説明する。
尿素水の添加要求がある場合には（図６のＳ１００：ＹＥＳ）、分散板６０の温度が判定値Ａよりも低い状態になっていても（図６のＳ１２０：ＮＯ）、添加要求を優先するために所定期間の間だけは尿素水の添加禁止を中止して尿素添加を行う。より詳細には、分散板６０の温度が判定値Ａよりも低い状態になっていても、低温時添加時間ＴＬが経過するまでは尿素水が添加される（図６のＳ２００、図７のＳ３００〜Ｓ３２０）。
【００７７】
ここで、分散板６０の温度が判定値Ａよりも低いときに尿素水を添加するときの低温時添加時間ＴＬが上記式（２）に基づいて算出されることにより、低温時添加時間ＴＬは、分散板６０の温度が判定値Ａ以上になっているときの添加時間Ｔに比べて短くされる。このようにして尿素水の添加時間が短くされることにより、分散板６０に付着する尿素水の量は少なくなる。従って、分散板６０の温度が低くなっている状態で尿素水の添加要求があるときには、分散板６０への尿素水付着を抑えつつ、尿素水を添加することができる。そのため、例えば分散板６０が低温状態であっても、ＳＣＲ触媒４１のアンモニア吸着量を増やすことが可能になり、尿素水添加によるＮＯｘ浄化を維持することができる。
【００７８】
また、先の図８に示したように、分散板温度ＴＢが低いときほど時間係数Ｋ４を小さくすることにより、分散板６０の温度が低いほど低温時添加時間ＴＬは短くなる。従って、分散板６０の温度が低く尿素水が付着しやすいときほど、低温時添加時間ＴＬは短くなるため、分散板６０に付着する尿素水の量は少なくなる。そのため、分散板６０に付着する尿素水の量を、分散板６０の温度に応じて適切に抑えることができる。
【００７９】
また、時間係数Ｋ４は、分散板温度ＴＢに基づいて可変設定される。ここで、分散板温度ＴＢは、第２排気温度ＴＨ２及び外気温度ＴＨｏｕｔ及び排気流量ＧＥＸ及び車速ＳＰＤに基づいて推定されている。そのため、それら第２排気温度ＴＨ２、外気温度ＴＨｏｕｔ、排気流量ＧＥＸ、及び車速ＳＰＤのうちの少なくとも１つが変化すれば、分散板温度ＴＢも変化し、時間係数Ｋ４も変化する。従って、本実施形態では、分散板６０の温度に関与する第２排気温度ＴＨ２及び外気温度ＴＨｏｕｔ及び排気流量ＧＥＸ及び車速ＳＰＤの少なくとも１つに基づいて低温時添加時間ＴＬが可変設定される。そのため、分散板６０の温度を直接検出することなく、分散板６０の温度が低いときほど低温時添加時間ＴＬを短くすることができる。
【００８０】
以上説明したように、本実施形態によれば、上記（１）及び（２）の効果に加えて、さらに以下の効果を得ることができる。
（３）分散板６０の温度が判定値Ａよりも低い状態であっても、尿素水の添加要求があるときには、低温時添加時間ＴＬの間だけは尿素水の添加禁止を中止して尿素添加を行うようにしている。そして低温時添加時間ＴＬは、分散板６０の温度が判定値Ａ以上であるときの添加時間Ｔよりも短くされている。従って、分散板６０の温度が低くなっている状態で尿素水の添加要求があるときには、分散板６０への尿素水付着を抑えつつ、尿素水を添加することができる。そのため、例えば分散板６０が低温状態であっても、尿素水添加による排気浄化を維持することができる。
【００８１】
（４）分散板６０の温度が低いときほど、低温時添加時間ＴＬは短くされる。従って、分散板６０に付着する尿素水の量を、分散板６０の温度に応じて適切に抑えることができる。
【００８２】
（５）第２排気温度ＴＨ２及び外気温度ＴＨｏｕｔ及び排気流量ＧＥＸ及び車速ＳＰＤの少なくとも１つに基づいて低温時添加時間ＴＬは可変設定される。従って、分散板６０の温度を直接検出することなく、分散板６０の温度が低いときほど低温時添加時間ＴＬを短くすることができる。
（第３実施形態）
次に、内燃機関の排気浄化装置の第３実施形態について、図９及び図１０を参照して説明する。
【００８３】
先の図７に示した第２実施形態での添加処理では、低温状態の分散板６０に付着する尿素水の量を少なくするために、尿素水の添加時間を短くするようにした。
一方、本実施形態では、尿素水の添加量自体を減量することにより、低温状態の分散板６０に付着する尿素水の量を少なくするようにしている。つまり、本実施形態は、先の図６に示したステップＳ２００での添加処理の内容が、先の図７に示した第２実施形態での処理内容と異なっている。そこで、以下では、本実施形態における添加処理について説明する。
【００８４】
図９に、本実施形態における添加処理の手順を示す。本実施形態における添加処理も、先の図６に示したステップＳ２００の処理として実行される。
この添加処理が開始されると、制御装置８０は、分散板温度ＴＢに基づいて尿素水の低温時添加量ＱＥＬを設定する（Ｓ４００）。この低温時添加量ＱＥＬは、次式（３）に基づいて算出される。
【００８５】
低温時添加量ＱＥＬ＝尿素添加量ＱＥ×添加量係数Ｋ５  …（３）
尿素添加量ＱＥは、上述したように、ＮＯｘを還元処理するために必要な尿素量とアンモニア吸着量を維持するために必要な尿素量との和であり、機関運転状態等に基づいて算出される。
【００８６】
添加量係数Ｋ５は、分散板温度ＴＢに応じて尿素添加量ＱＥを補正するための係数である。
図１０に、添加量係数Ｋ５の設定態様を示す。添加量係数Ｋ５は、「０」よりも大きく「１」以下の範囲内で可変設定される。そして、分散板温度ＴＢが低いほど、添加量係数Ｋ５の値は小さくされる。これは、分散板温度ＴＢが低いときほど、尿素水の添加量を少なくすることにより、分散板６０に付着する尿素水の量を少なくするためである。
【００８７】
なお、低温時添加量ＱＥＬは、上記式（３）による算出の他に、分散板温度ＴＢの一次元マップなどから直接求めるようにしてもよい。例えば、分散板温度ＴＢが低いほど低温時添加量ＱＥＬは少なくなるように、分散板温度ＴＢに基づいて低温時添加量ＱＥＬを直接設定する。そして、可変設定される低温時添加量ＱＥＬの最大値は、機関運転状態等に基づいて設定される尿素添加量ＱＥ以下となるように設定する。このようにしても上記式（３）から得られる低温時添加量ＱＥＬと同様な添加量を設定することができる。
【００８８】
こうして低温時添加量ＱＥＬが設定されると、制御装置８０は、低温時添加量ＱＥＬに応じた尿素添加弁２３０の駆動制御を行うことにより、尿素添加を実行する（Ｓ４１０）。
【００８９】
次に、制御装置８０は、現在算出されている分散板温度ＴＢが判定値Ｂ未満であるか否かを判定する（Ｓ４２０）。なお、判定値Ｂは、分散板６０の温度が低温状態であるか否かを判定するための上記判定値Ａよりもやや低い温度（例えば判定値Ａよりも５°Ｃ程度低い温度など）が設定されている。
【００９０】
そして、分散板温度ＴＢが判定値Ｂ以上であるときには（Ｓ４２０：ＮＯ）、制御装置８０は、分散板温度ＴＢが判定値Ｂ未満になるまで、ステップＳ４００〜ステップＳ４２０の各処理を繰り返すことにより、尿素添加を継続する。
【００９１】
一方、分散板温度ＴＢが判定値Ｂ未満のときには（Ｓ４２０：ＹＥＳ）、分散板６０の温度が過度に低くなっており、これ以上尿素添加を続けると、分散板６０に付着する尿素水の量が許容量を超えるおそれがある。そこで、ステップＳ４２０にて肯定判定されるときには、制御装置８０は、本処理を終了して、先の図６に示したステップＳ１４０の処理を行う。このステップＳ１４０の処理が行われると、尿素添加が禁止される。従って、図９のステップＳ４１０で開始された尿素添加は、分散板温度ＴＢが判定値Ｂ未満になるまでの所定期間の間において実行され、図６のステップＳ１４０による尿素添加の禁止によって終了される。
【００９２】
なお、分散板温度ＴＢが判定値Ｂ未満になるまで尿素添加を行う代わりに、予め定められた期間の間だけ、低温時添加量ＱＥＬに応じた尿素添加弁２３０の駆動制御を行って尿素添加を実行してもよい。
【００９３】
次に、本実施形態によって得られる特有の作用を説明する。
尿素水の添加要求がある場合には（図６のＳ１００：ＹＥＳ）、分散板６０の温度が判定値Ａよりも低い状態になっていても（図６のＳ１２０：ＮＯ）、添加要求を優先するために所定期間の間だけは尿素水の添加禁止を中止して尿素水が添加される。より詳細には、分散板温度ＴＢが判定値Ａ未満であって判定値Ｂ以上の範囲内の温度になっている期間内では、尿素水の添加禁止が中止されて尿素水が添加される（図６のＳ２００、図９のＳ４００〜Ｓ４２０）。
【００９４】
ここで、分散板６０の温度が判定値Ａよりも低いときに尿素水を添加するときの低温時添加量ＱＥＬは、上記式（３）に基づいて算出されることにより、その低温時添加量ＱＥＬは、分散板６０の温度が判定値Ａ以上になっているときの通常時における尿素添加量ＱＥに比べて減量される。このようにして尿素水の添加量が減量されることにより、分散板６０に付着する尿素水の量は少なくなる。従って、分散板６０の温度が低くなっている状態で尿素水の添加要求があるときには、分散板６０への尿素水付着を抑えつつ、尿素水を添加することができる。そのため、例えば分散板６０が低温状態であっても、ＳＣＲ触媒４１のアンモニア吸着量を増やすことが可能になり、尿素水添加によるＮＯｘ浄化を維持することができる。
【００９５】
また、先の図１０に示したように、分散板温度ＴＢが低いときほど添加量係数Ｋ５を小さくすることにより、分散板６０の温度が低いほど低温時添加量ＱＥＬは少なくなる。従って、分散板６０の温度が低く尿素水が付着しやすいときほど、低温時添加量ＱＥＬは少なくなるため、分散板６０に付着する尿素水の量は少なくなる。そのため、分散板６０に付着する尿素水の量を、分散板６０の温度に応じて適切に抑えることができる。
【００９６】
また、添加量係数Ｋ５は、分散板温度ＴＢに基づいて可変設定される。ここで、分散板温度ＴＢは、第２排気温度ＴＨ２及び外気温度ＴＨｏｕｔ及び排気流量ＧＥＸ及び車速ＳＰＤに基づいて推定されている。そのため、それら第２排気温度ＴＨ２、外気温度ＴＨｏｕｔ、排気流量ＧＥＸ、及び車速ＳＰＤのうちの少なくとも１つが変化すれば、分散板温度ＴＢも変化し、添加量係数Ｋ５も変化する。従って、本実施形態では、分散板６０の温度に関与する第２排気温度ＴＨ２及び外気温度ＴＨｏｕｔ及び排気流量ＧＥＸ及び車速ＳＰＤの少なくとも１つに基づいて低温時添加量ＱＥＬが可変設定される。そのため、分散板６０の温度を直接検出することなく、分散板６０の温度が低いときほど低温時添加量ＱＥＬを少なくすることができる。
【００９７】
以上説明したように、本実施形態によれば、上記（１）及び（２）の効果に加えて、さらに以下の効果を得ることができる。
（６）分散板６０の温度が判定値Ａよりも低い状態であっても、尿素水の添加要求があるときには、分散板６０の温度が判定値Ｂ未満になるまでの期間内において尿素水の添加禁止を中止して尿素添加を行うようにしている。そして低温時添加量ＱＥＬは、分散板６０の温度が判定値Ａ以上であるときの尿素添加量ＱＥよりも減量される。従って、分散板６０の温度が低くなっている状態で尿素水の添加要求があるときには、分散板６０への尿素水付着を抑えつつ、尿素水を添加することができる。そのため、例えば分散板６０が低温状態であっても、尿素水添加による排気浄化を維持することができる。
【００９８】
（７）分散板６０の温度が低いときほど、低温時添加量ＱＥＬは少なくされる。従って、分散板６０に付着する尿素水の量を、分散板６０の温度に応じて適切に抑えることができる。
【００９９】
（８）第２排気温度ＴＨ２及び外気温度ＴＨｏｕｔ及び排気流量ＧＥＸ及び車速ＳＰＤの少なくとも１つに基づいて低温時添加量ＱＥＬは可変設定される。従って、分散板６０の温度を直接検出することなく、分散板６０の温度が低いときほど低温時添加量ＱＥＬを少なくすることができる。
【０１００】
なお、上記各実施形態は以下のように変更して実施することもできる。
・分散板６０の温度を推定するようにした。この他、そうした推定値に代えて、温度センサ等により分散板６０の温度を直接検出するようにしてもよい。
【０１０１】
・分散板６０の温度を、第２排気温度ＴＨ２及び外気温度ＴＨｏｕｔ及び排気流量ＧＥＸ及び車速ＳＰＤに基づいて推定するようにした。この他、それら第２排気温度ＴＨ２及び外気温度ＴＨｏｕｔ及び排気流量ＧＥＸ及び車速ＳＰＤの少なくとも１つに基づいて分散板６０の温度を推定してもよい。なお、好適には、分散板６０の温度を推定するパラメータとして、第２排気温度ＴＨ２及び外気温度ＴＨｏｕｔを少なくとも含むようにするとよい。
【０１０２】
・分散板６０への尿素水の付着が懸念される程度に、分散板６０の温度が低い状態にあることを判定するために、分散板の温度を推定するようにした。この他、第２排気温度ＴＨ２及び外気温度ＴＨｏｕｔ及び排気流量ＧＥＸ及び車速ＳＰＤの各パラメータは、分散板６０の温度に関与する値である。そこで、それら各パラメータの少なくとも１つに基づいて、分散板６０の温度が低い状態になっているか否かを直接判定するようにしてもよい。例えば、外気温度ＴＨｏｕｔが予め定められた判定温度よりも低くなっているときには、分散板６０への尿素水の付着が懸念される程度に分散板６０の温度が低い状態になっていると判定してもよい。
【０１０３】
・第２実施形態では、分散板温度ＴＢに基づいて低温時添加時間ＴＬを可変設定するようにしたが、低温時添加時間ＴＬを固定値にしてもよい。ただし、この場合でも、低温時添加時間ＴＬは、通常の尿素添加が行われるときの添加時間Ｔよりも短くする。こうした変形例でも上記（３）の効果を得ることができる。
【０１０４】
・第２実施形態では、低温時添加時間ＴＬを可変設定するパラメータが、分散板温度ＴＢであった。この他、分散板温度ＴＢの算出に用いられる第２排気温度ＴＨ２及び外気温度ＴＨｏｕｔ及び排気流量ＧＥＸ及び車速ＳＰＤの各パラメータは、上述したように分散板６０の温度に関与する値である。そこで、それら各パラメータの少なくとも１つに基づいて、時間係数Ｋ４を直接可変設定するようにしてもよい。例えば、外気温度ＴＨｏｕｔが低いときほど時間係数Ｋ４が小さくなるように、外気温度ＴＨｏｕｔに基づいて時間係数Ｋ４を可変設定してもよい。こうした変形例でも、分散板温度ＴＢによる時間係数Ｋ４の可変設定と同様な作用効果を得ることができる。
【０１０５】
また、第２排気温度ＴＨ２及び外気温度ＴＨｏｕｔ及び排気流量ＧＥＸ及び車速ＳＰＤの各パラメータの少なくとも１つに基づいて、低温時添加時間ＴＬを直接可変設定するようにしてもよい。例えば、外気温度ＴＨｏｕｔが低いときほど低温時添加時間ＴＬが短くなるように、外気温度ＴＨｏｕｔに基づいて低温時添加時間ＴＬを可変設定してもよい。こうした変形例でも、分散板温度ＴＢによる時間係数Ｋ４の可変設定と同様な作用効果を得ることができる。
【０１０６】
・第３実施形態では、分散板温度ＴＢに基づいて低温時添加量ＱＥＬを可変設定するようにしたが、低温時添加量ＱＥＬを固定値にしてもよい。ただし、この場合でも、低温時添加量ＱＥＬは、通常の尿素添加が行われるときの尿素添加量ＱＥよりも少なくする。こうした変形例でも上記（６）の効果を得ることができる。
【０１０７】
・第３実施形態では、低温時添加時間ＴＬを可変設定するパラメータが分散板温度ＴＢであった。この他、第２排気温度ＴＨ２及び外気温度ＴＨｏｕｔ及び排気流量ＧＥＸ及び車速ＳＰＤの各パラメータは、上述したように分散板６０の温度に関与する値である。そこで、それら各パラメータの少なくとも１つに基づいて、添加量係数Ｋ５を直接可変設定するようにしてもよい。例えば、外気温度ＴＨｏｕｔが低いときほど添加量係数Ｋ５が小さくなるように、外気温度ＴＨｏｕｔに基づいて添加量係数Ｋ５を可変設定してもよい。こうした変形例でも、分散板温度ＴＢによる添加量係数Ｋ５の可変設定と同様な作用効果を得ることができる。
【０１０８】
また、第２排気温度ＴＨ２及び外気温度ＴＨｏｕｔ及び排気流量ＧＥＸ及び車速ＳＰＤの各パラメータの少なくとも１つに基づいて、低温時添加量ＱＥＬを直接可変設定するようにしてもよい。例えば、外気温度ＴＨｏｕｔが低いときほど低温時添加量ＱＥＬが少なくなるように、外気温度ＴＨｏｕｔに基づいて低温時添加量ＱＥＬを可変設定してもよい。こうした変形例でも、分散板温度ＴＢによる添加量係数Ｋ５の可変設定と同様な作用効果を得ることができる。
【０１０９】
・ＳＣＲ触媒４１は、ゼオライト系の担体に担持されていたがこの他の担体に担持されていてもよい。この場合でも、上記各実施形態によれば、少なくとも分散板６０において尿素水の付着に起因したデポジットの生成が抑えられるようになる。
【０１１０】
・還元剤として尿素水を使用するようにしたが、この他の液状の還元剤を使用するようにしてもよい。
【符号の説明】
【０１１１】
１…エンジン、２…シリンダヘッド、３…吸気通路、４ａ〜４ｄ…燃料噴射弁、５…燃料添加弁、６ａ〜６ｄ…排気ポート、７…インテークマニホールド、８…エキゾーストマニホール、９…コモンレール、１０…サプライポンプ、１１…ターボチャージャ、１３…ＥＧＲ通路、１４…ＥＧＲクーラ、１５…ＥＧＲ弁、１６…吸気絞り弁、１７…アクチュエータ、１８…インタークーラ、１９…エアフロメータ、２０…絞り弁開度センサ、２１…機関回転速度センサ、２２…アクセルセンサ、２３…外気温センサ、２４…車速センサ、２５…イグニッションスイッチ（ＩＧスイッチ）、２６…排気通路、２７…燃料供給管、３０…第１浄化部材、３１…酸化触媒、３２…フィルタ、４０…第２浄化部材、４１…選択還元型ＮＯｘ触媒（ＳＣＲ触媒）、５０…第３浄化部材、５１…アンモニア酸化触媒、６０…分散板、８０…制御装置、１００…第１排気温度センサ、１１０…差圧センサ、１２０…第２排気温度センサ、１３０…第１ＮＯｘセンサ、１４０…第２ＮＯｘセンサ、２００…尿素水供給機構、２１０…タンク、２２０…ポンプ、２３０…尿素添加弁、２４０…供給通路。
【図１】
2015028312.tif 000003
【図２】
2015028312.tif 000004
【図３】
2015028312.tif 000005
【図４】
2015028312.tif 000006
【図５】
2015028312.tif 000007
【図６】
2015028312.tif 000008
【図７】
2015028312.tif 000009
【図８】
2015028312.tif 000010
【図９】
2015028312.tif 000011
【図１０】
2015028312.tif 000012